Podtech/llm-jp-corpus-v4-ja_patent huggingface dataset:
【手続補正書】
【提出日】令和3年9月10日(2021.9.10)
【手続補正１】
【補正対象書類名】特許請求の範囲
【補正対象項目名】全文
【補正方法】変更
【補正の内容】
【特許請求の範囲】
【請求項１】
印刷装置であって、
第１印刷ジョブと、パスワードが設定された第２印刷ジョブとを含む複数の印刷ジョブを記憶する記憶手段と、
パスワードが設定された印刷ジョブの認証を実行する認証手段と、
前記第１印刷ジョブの実行中に前記第１印刷ジョブの中断イベントが発生したことによって、実行中の前記第１印刷ジョブを中断する中断手段と、
前記第１印刷ジョブが中断してから所定時間が経過する前に前記第２印刷ジョブのパスワードの認証を実行した場合に、前記第１印刷ジョブを中断してから所定時間が経過したことに基づいて、前記第１印刷ジョブおよび前記第２印刷ジョブをキャンセルし、前記第１印刷ジョブが中断してから所定時間が経過する前に前記第２印刷ジョブのパスワードの認証を実行しなかった場合に、前記第１印刷ジョブを中断してから所定時間が経過したことに基づいて、前記第１印刷ジョブをキャンセルし、前記第２印刷ジョブをキャンセルしない制御手段と、
ことを特徴とする印刷装置。
【請求項２】
前記記憶手段は、前記制御手段によって前記第２印刷ジョブがキャンセルされることによって、前記第２印刷ジョブを消去することを特徴とする請求項１に記載の印刷装置。
【請求項３】
ユーザの操作を受け付ける受付手段を有し、
前記認証手段は、前記受付手段がパスワードを受け付けることによって、パスワードが設定された印刷ジョブの認証を実行することを特徴とする請求項１または２に記載の印刷装置。
【請求項４】
前記中断イベントは、前記第１印刷ジョブの実行エラーであることを特徴とする請求項１乃至３のいずれか１項に記載の印刷装置。
【請求項５】
印刷ジョブを受信する受信手段を有し、
前記受信手段は、前記第１印刷ジョブの後に前記第２印刷ジョブを受信することを特徴とする請求項１乃至４のいずれか１項に記載の印刷装置。
【請求項６】
前記複数の印刷ジョブは、パスワードが設定されていない第３印刷ジョブを含み、
前記第３印刷ジョブは、前記第１印刷ジョブを中断してから所定時間経過したことに基づいてキャンセルされることを特徴とする請求項１乃至５のいずれか１項に記載の印刷装置。
【請求項７】
前記制御手段は、前記第１印刷ジョブがキャンセルされ且つ前記第２印刷ジョブがキャンセルされなかった後で且つ前記中断イベントが解消された後に、前記第２印刷ジョブのパスワードの認証が実行された場合に、前記第２印刷ジョブを実行することを特徴とする請求項１乃至６のいずれか１項に記載の印刷装置。
【請求項８】
印刷ジョブの実行中に中断イベントが発生したことによって、実行中の前記印刷ジョブをキャンセルする設定を設定する設定手段を有し、
前記設定が有効である状態で、
前記制御手段は、前記第１印刷ジョブが中断してから所定時間が経過する前に前記第２印刷ジョブのパスワードの認証を実行した場合に、前記第１印刷ジョブを中断してから所定時間が経過したことに基づいて、前記第１印刷ジョブおよび前記第２印刷ジョブをキャンセルし、前記第１印刷ジョブが中断してから所定時間が経過する前に前記第２印刷ジョブのパスワードの認証を実行しなかった場合に、前記第１印刷ジョブを中断してから所定時間が経過したことに基づいて、前記第１印刷ジョブをキャンセルし、前記第２印刷ジョブをキャンセルしないことを特徴とする請求項１乃至７のいずれか１項に記載の印刷装置。
【請求項９】
前記設定手段は、前記所定時間を設定可能であることを特徴とする請求項８に記載の印刷装置。
【請求項１０】
第１印刷ジョブと、パスワードが設定された第２印刷ジョブとを含む複数の印刷ジョブを記憶する記憶装置を有する印刷装置の制御方法であって、
前記第１印刷ジョブの実行中に前記第１印刷ジョブの中断イベントが発生したことによって、実行中の前記第１印刷ジョブを中断するステップと、
前記第１印刷ジョブが中断してから所定時間が経過する前に前記第２印刷ジョブのパスワードの認証を実行した場合に、前記第１印刷ジョブを中断してから所定時間が経過したことに基づいて、前記第１印刷ジョブおよび前記第２印刷ジョブをキャンセルし、前記第１印刷ジョブが中断してから所定時間が経過する前に前記第２印刷ジョブのパスワードの認証を実行しなかった場合に、前記第１印刷ジョブを中断してから所定時間が経過したことに基づいて、前記第１印刷ジョブをキャンセルし、前記第２印刷ジョブをキャンセルしないステップと、
を有することを特徴とする印刷装置の制御方法。
【手続補正書】
【提出日】令和3年8月27日(2021.8.27)
【手続補正１】
【補正対象書類名】特許請求の範囲
【補正対象項目名】請求項１
【補正方法】変更
【補正の内容】
【請求項１】
ペダルを踏む踏力によって推進力をアシストさせる推進力アシスト機構を駆動部に組み込んだ自転車において、
前記推進力アシスト機構は、
後輪のスプロケットとの間にチェーンが架け渡されると共に中心部にクランク軸の軸径よりも大きな開口が形成されたチェーンホイール板と、
前記チェーンホイール板に対向して設けられ、中心にクランク軸に嵌合される嵌合孔を有すると共に前記ペダルにクランクを介して連結された推進力アシスト板と、
前記チェーンホイール板を前記推進力アシスト板に前記クランク軸の軸芯を中心に回動自在に支持する回動支持機構と、
前記チェーンホイール板と前記推進力アシスト板との間であって前記軸芯周りに等間隔を置いて複数個配置され、一方端が前記チェーンホイール板に回動自在に支持されると共に他方端が前記推進力アシスト板に回動自在に支持され、前記ペダルを踏んで前記推進力アシスト板が回転することによって圧縮されて圧縮反力を発生する直動バネ部材と、を有し、
前記回動支持機構は、
前記チェーンホイール板と前記推進力アシスト板とのうちの一方に設けられ、前記軸芯周りに形成された長孔と、
前記チェーンホイール板と前記推進力アシスト板とのうちの他方に形成され、前記長孔にそれぞれ係合する複数の係合ピンと、を有し、
前記ペダルを踏んで前記推進力アシスト板が回転したときに、前記係合ピンは前記直動バネ部材の圧縮前に前記長孔における前記推進力アシスト板の回転方向下流端に係合すると共に圧縮後に回転方向上流端に係合することを特徴とする自転車。
【手続補正書】
【提出日】令和3年8月11日(2021.8.11)
【手続補正１】
【補正対象書類名】特許請求の範囲
【補正対象項目名】全文
【補正方法】変更
【補正の内容】
【特許請求の範囲】
【請求項１】
外科手技に起因する坐骨神経損傷を被るリスクがある対象において神経因性疼痛を減少させる方法に使用するための、有効量のグリア成長因子2（GGF2）を含む組成物。
【請求項２】
外科手技が、組織切開または腫瘍切除術であり、任意で、組織または腫瘍が癌であり、好ましくは、癌が固形癌であるかまたは癌が前立腺癌もしくは乳癌である、請求項1記載の方法に使用するための組成物。
【請求項３】
外科手技が、骨盤、腹部、または結腸直腸の手術である、請求項1記載の方法に使用するための組成物。
【請求項４】
坐骨神経損傷が、神経離断、神経挫滅、または神経脱髄である、請求項1記載の方法に使用するための組成物。
【請求項５】
不連続な投薬レジメンに従って投与される、請求項1記載の方法に使用するための組成物。
【請求項６】
不連続な投薬レジメンが、指定の間隔での組成物の投与を含み、任意で、
a) 該指定の間隔が、24時間ごと、48時間ごと、および72時間ごとからなる群より選択されるか、または少なくとも24時間ごと、少なくとも48時間ごと、および少なくとも72時間ごとからなる群より選択され、好ましくは、該不連続な投薬レジメンが、約1週間、約2週間、約3週間、約4週間、約5週間、約6週間、約7週間、約8週間、約9週間、約10週間、約11週間、および約12週間からなる群より選択される期間にわたって継続されるか；または
b) 該指定の間隔が、少なくとも1週間に1回であり、好ましくは、該不連続な投薬レジメンが、約1ヶ月、約2ヶ月、または約3ヶ月からなる群より選択される期間にわたって継続される、
請求項5記載の方法に使用するための組成物。
【請求項７】
有効量のグリア成長因子2（GGF2）が、約0.001mg/kg体重〜約5mg/kg体重である、請求項1記載の方法に使用するための組成物。
【請求項８】
有効量のグリア成長因子2（GGF2）が、約0.001mg/kg体重〜約0.5mg/kg体重である、請求項7記載の方法に使用するための組成物。
【請求項９】
有効量のグリア成長因子2（GGF2）が、
a) 約0.06mg/kg〜約0.1mg/kg、
b) 約0.1mg/kg〜約0.3mg/kg、
c) 約0.3mg/kg〜約0.5mg/kg、
d) 約0.5mg/kg〜約0.7mg/kg、
e) 約0.7mg/kg〜約1.0mg/kg、
f) 約0.5mg/kg〜約1.0mg/kg、および
g) 約1.0mg/kg〜約1.5mg/kg、
から選択される、請求項7記載の方法に使用するための組成物。
【手続補正書】
【提出日】令和3年10月19日(2021.10.19)
【手続補正１】
【補正対象書類名】特許請求の範囲
【補正対象項目名】全文
【補正方法】変更
【補正の内容】
【特許請求の範囲】
【請求項１】
脚が通される一対の脚口と、
前記一対の脚口の間にある股部と、
を備え、
前記股部における肌に向く面に、情報コードと広告との少なくとも一方の印刷が付されている、
下着。
【請求項２】
前記印刷は、前記一対の脚口の中心同士を結ぶ線分の中心から半径５ｃｍの範囲内に付されている、
請求項１に記載の下着。
【請求項３】
前記印刷には、商品の広告、動画サイト、ＳＮＳのサイト及び商品紹介のコマーシャル用のサイトのいずれかのＵＲＬが記録されている、
請求項１又は請求項２に記載の下着。
【請求項４】
前記下着が、下半身に着用されるアンダーウェアである、
請求項１〜３のいずれか一項に記載の下着。
【請求項５】
前記アンダーウェアが、トランクス、ボクサーパンツ、ブリーフパンツ及びビキニパンツのいずれかである、
請求項４に記載の下着。
【請求項６】
前記下着が男性用のアンダーウェアである、
請求項４又は請求項５に記載の下着。
【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
Ｓｉ：２．３質量％以上３．８質量％以下、Ｍｎ：０．３５質量％以上１．０５質量％以下、Ｍｇ：０．３５質量％以上０．６５質量％以下、Ｆｅ：０．０１質量％以上０．４５質量％以下を含有し、更に、Ｃｕ：０．００１０質量％以上１．０質量％以下、Ｃｒ：０．００１０質量％以上０．１０質量％以下、Ｚｎ：０．００１０質量％以上０．５０質量％以下及びＴｉ：０．００５０質量％以上０．２０質量％以下からなる群より選択される１種または２種以上の元素を含有し、残部がＡｌ及び不可避的不純物からなり、Ｍｎの含有量に対するＳｉの含有量の質量比Ｓｉ／Ｍｎが２．５以上９．０以下である化学成分を有し、
伸びが２３％以上であり、
３％の公称ひずみを導入した際の加工硬化指数が０．２８以上となる特性を有している、アルミニウム合金板。
【請求項２】
前記アルミニウム合金板には、更に、Ｎｉ：０．００５０質量％以上０．１５質量％以下が含まれている、請求項１に記載のアルミニウム合金板。
【請求項３】
前記アルミニウム合金板中のＣｕの含有量は０．２０質量％未満である、請求項１または２に記載のアルミニウム合金板。
【請求項４】
請求項１〜３のいずれか１項に記載のアルミニウム合金板の製造方法であって、
前記化学成分を備えた鋳塊を作製し、
前記鋳塊を３００℃以上５５０℃以下の温度に加熱した後、完了時の温度が２００℃以上３５０℃以下となるようにして前記鋳塊に熱間圧延を行って熱延板を作製し、
前記熱延板に総圧下率が５０％以上となるように冷間圧延を行って冷延板を作製し、
前記冷延板を４８０℃以上５６０℃以下の温度に加熱した後、温度が１５０℃に達するまでの冷却速度が１００℃／分以上となるように前記冷延板を冷却して溶体化処理を行い、
前記冷延板を５０℃以上１５０℃以下の温度に１時間以上１００時間以下保持して予備時効処理を行う、アルミニウム合金板の製造方法。
【手続補正２】
【補正対象書類名】明細書
【補正対象項目名】発明の名称
【補正方法】変更
【補正の内容】
【発明の名称】アルミニウム合金板及びその製造方法
【手続補正３】
【補正対象書類名】明細書
【補正対象項目名】００３６
【補正方法】変更
【補正の内容】
【００３６】
一方、Ｃｒの含有量が過度に多くなると、アルミニウム合金板中に粗大な金属間化合物が形成されやすくなり、プレス成形性の悪化を招くおそれがある。Ｃｒの含有量を０．１０質量％以下とすることにより、プレス成形性の悪化を回避しつつ前述した作用効果を奏することができる。
【手続補正４】
【補正対象書類名】明細書
【補正対象項目名】００３８
【補正方法】変更
【補正の内容】
【００３８】
一方、Ｚｎの含有量が過度に多くなると、耐食性の低下を招くおそれがある。Ｚｎの含有量を０．５０質量％以下とすることにより、耐食性の低下を回避しつつ前述した作用効果を奏することができる。
【手続補正書】
【提出日】令和3年11月9日(2021.11.9)
【手続補正１】
【補正対象書類名】特許請求の範囲
【補正対象項目名】全文
【補正方法】変更
【補正の内容】
【特許請求の範囲】
【請求項１】
蒸着マスクの製造方法であって、
第１面及び第２面を含む金属板を準備する工程と、
前記金属板の前記第１面及び前記第２面にレジスト膜を設けるレジスト膜形成工程と、
前記レジスト膜を加工してレジストパターンを形成する工程と、
前記レジストパターンをマスクとして前記金属板をエッチングするエッチング工程と、を備え、
前記蒸着マスクは、配列された複数の貫通孔を含む有効領域と、前記有効領域の周囲に位置し、アライメントマークを含む周囲領域と、を含み、
前記エッチング工程は、前記第１面をエッチングして、前記有効領域に第１凹部を形成し、前記周囲領域に凹部を形成する第１面エッチング工程と、前記第２面をエッチングして、前記有効領域に第２凹部を形成する第２面エッチング工程と、を含み、
前記貫通孔は、前記第１凹部と前記第２凹部とが互いに通じ合うことにより形成され、
前記アライメントマークは、凹部によって構成される、蒸着マスクの製造方法。
【請求項２】
前記第１面エッチング工程は、前記アライメントマークを構成する前記凹部が前記第２面にまで貫通しないよう実施される、請求項１に記載の蒸着マスクの製造方法。
【手続補正書】
【提出日】令和3年7月20日(2021.7.20)
【手続補正１】
【補正対象書類名】特許請求の範囲
【補正対象項目名】全文
【補正方法】変更
【補正の内容】
【特許請求の範囲】
【請求項１】
下記式（Ｉ）で表される第１の構造単位を含む繰り返し単位を含み、
［式（Ｉ）］
2021059710.tif 000001
Ｒ１およびＲ２は独立してＨまたはアリルであり、ただし、Ｒ１およびＲ２の少なくとも１つはアリルであり、Ｒ３は、ＨまたはＣ１〜Ｃ２１のヒドロカルビルであり、
前記アリル含有樹脂のフーリエ変換赤外スペクトルは、１６５０ｃｍ−１〜１６３０ｃｍ−１の範囲の信号強度ａおよび１６２０ｃｍ−１〜１５６０ｃｍ−１の範囲の信号強度ｂを有し、０＜ａ／ｂ≦１．２０であり、
前記アリル含有樹脂の定量１Ｈ−ＮＭＲスペクトルは、３．２ｐｐｍ〜６．２ｐｐｍの範囲の信号強度ｃおよび６．６ｐｐｍ〜７．４ｐｐｍの範囲の信号強度ｄを有し、０＜ｃ／ｄ≦１．２０であることを特徴とするアリル含有樹脂。
【請求項２】
前記フーリエ変換赤外スペクトルが、以下のように決定される、フィルム法を用いて、前記アリル含有樹脂をＫＢｒペレット上に塗布し、走査回数１６、走査範囲４０００ｃｍ−１〜４００ｃｍ−１および分解能１ｃｍ−１の条件下で、フーリエ変換赤外分光計を用いて前記ＫＢｒペレットの吸収スペクトルを特徴付け、減衰全反射を用いて前記信号強度ａおよび前記信号強度ｂを決定し、前記信号強度は、それぞれの指定波長範囲内の吸光度値である請求項１に記載のアリル含有樹脂。
【請求項３】
前記定量１Ｈ―ＮＭＲスペクトルは、共鳴周波数５００ＭＨｚ、パルス幅１０μｓ、パルス遅延２ｓ、走査回数３２、および標準物質の化学シフト０ｐｐｍの条件下で、重水素化クロロホルムを溶媒として、テトラメチルシランを標準物質として用い、核磁気共鳴分光計により決定される請求項１に記載のアリル含有樹脂。
【請求項４】
０．１０≦ａ／ｂ≦１．２０かつ０．５０≦ｃ／ｄ≦１．２０である請求項１に記載のアリル含有樹脂。
【請求項５】
前記繰り返し単位は、−ＣＨ２−、−Ｃ２Ｈ４−、−Ｃ２Ｈ２−、−Ｃ２−、−Ｃ３Ｈ６−、−Ｃ３Ｈ４−、−Ｃ３Ｈ２−、−Ｃ４Ｈ８−、−Ｃ４Ｈ６−、−Ｃ４Ｈ４−、−Ｃ５Ｈ１０−、−Ｃ５Ｈ８−、−Ｃ５Ｈ６−、−Ｃ６Ｈ１２−、−Ｃ６Ｈ１０−、−Ｃ６Ｈ８−、−Ｃ７Ｈ１４−、−Ｃ７Ｈ１２−、−Ｃ７Ｈ１０−、−Ｃ８Ｈ１６−、−Ｃ８Ｈ１４−、−Ｃ８Ｈ１２−、−Ｃ９Ｈ１８−、−Ｃ９Ｈ１６−、−Ｃ９Ｈ１４−、−Ｃ１０Ｈ２０−、−Ｃ１０Ｈ１８−、−Ｃ１０Ｈ１６−，
2021059710.tif 000002
カルボニル、スルフリル、および−Ｏ−からなる群から選択される１つ以上の第２の構造単位をさらに含む請求項１に記載のアリル含有樹脂。
【請求項６】
請求項１ないし５のいずれかに記載の前記アリル含有樹脂により変性されたビスマレイミド樹脂。
【請求項７】
請求項６に記載の前記ビスマレイミド樹脂を含む樹脂組成物。
【請求項８】
請求項７に記載の前記樹脂組成物を基材に含浸させ、または請求項７に記載の前記樹脂組成物を基材上に塗布し、前記含浸または塗布された基材を乾燥させることにより作製されるプリプレグ。
【請求項９】
請求項８に記載の前記プリプレグに金属箔を積層することにより作製される金属被覆積層体。
【請求項１０】
請求項９に記載の前記金属被覆積層体から作製されるプリント回路基板。
【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域と、
前記遊技領域に設けられている入球口と、
前記遊技領域よりも後方に配置されていて装飾が施されている装飾手段と、を備える遊技機において、
前記装飾手段は、
前記入球口に連通している連通口と、
前記連通口を通過する遊技球を検出可能な検知手段と、を備えていることを特徴とする遊技機。
【請求項２】
請求項１に記載の遊技機において、
前記遊技領域には、左側に配置されている左遊技領域と、右側に配置されている右遊技領域と、があり、
前記装飾手段は、前記左遊技領域から前記右遊技領域へ跨って視認できるように、当該左遊技領域及び当該右遊技領域の後方に配置されていることを特徴とする遊技機。
【請求項３】
請求項２に記載の遊技機において、
前記装飾手段は、
前記遊技領域に設けられている特別入球口に遊技球が入球可能な第１状態、又は前記第１状態よりも前記特別入球口に遊技球が入球し難い第２状態をとる特別入球口開閉部材を組付けていることを特徴とする遊技機。
【手続補正２】
【補正対象書類名】明細書
【補正対象項目名】０００４
【補正方法】変更
【補正の内容】
【０００４】
装飾手段には未だ改善の余地があった。
【手続補正３】
【補正対象書類名】明細書
【補正対象項目名】０００５
【補正方法】変更
【補正の内容】
【０００５】
本発明は上記事情に鑑みてなされたものである。すなわちその課題は、斬新な装飾手段を備えている遊技機を提供することにある。
【手続補正４】
【補正対象書類名】明細書
【補正対象項目名】０００６
【補正方法】変更
【補正の内容】
【０００６】
本発明の遊技機は、
遊技球が流下可能な遊技領域と、
前記遊技領域に設けられている入球口と、
前記遊技領域よりも後方に配置されていて装飾が施されている装飾手段と、を備える遊技機において、
前記装飾手段は、
前記入球口に連通している連通口と、
前記連通口を通過する遊技球を検出可能な検知手段と、を備えていることを特徴とする遊技機である。
【手続補正５】
【補正対象書類名】明細書
【補正対象項目名】０００７
【補正方法】変更
【補正の内容】
【０００７】
本発明の遊技機によれば、斬新な装飾手段を提供することが可能である。
【手続補正書】
【提出日】令和3年7月30日(2021.7.30)
【手続補正１】
【補正対象書類名】特許請求の範囲
【補正対象項目名】全文
【補正方法】変更
【補正の内容】
【特許請求の範囲】
【請求項１】
被験者に印加される電流信号（Ｓ１）を生成するように構成された電流信号注入モジュール（１０）と、
上記被験者に印加された電流信号（Ｓ１）によって生成された電圧に基づいてバイオインピーダンス信号（Ｓ２）を測定するように構成されたバイオインピーダンス信号測定モジュール（２０）と、
上記測定されたバイオインピーダンス信号（Ｓ２）のＡＣレベル及びＤＣレベルを検出するように構成され、かつ、上記測定されたバイオインピーダンス信号（Ｓ２）のＡＣレベル及びＤＣレベルがそれぞれＡＣ基準値範囲及びＤＣ基準値範囲の内部にあるか、それとも外部にあるかを検出するように構成されたデータ品質検出モジュール（３０）と、
上記測定されたバイオインピーダンス信号（Ｓ２）のＡＣレベル及びＤＣレベルがそれぞれＡＣ基準値範囲及びＤＣ基準値範囲の内部にあるか、それとも外部にあるかについての上記検出に基づいて、上記電流信号注入モジュール（１０）及び／又は上記バイオインピーダンス信号測定モジュール（２０）の少なくとも１つのパラメータを変更するように構成された信号適応モジュール（４０）とを備え、
上記信号適応モジュール（４０）は、上記生成された電流信号（Ｓ１）の周波数、上記測定されたバイオインピーダンス信号の利得、及び／又は、上記バイオインピーダンス信号を測定する電極ペアに含まれる電極を変更するように構成される、
バイオインピーダンス信号取得のための電子システム（１００）。
【請求項２】
上記ＡＣ基準値範囲及び上記ＤＣ基準値範囲は、予め定義された値範囲であるか、システム較正を実行することで定義された値範囲であるか、又は上記信号適応モジュール（４０）によってパラメータ変更を実行することで定義された値範囲である、
請求項１記載のバイオインピーダンス信号取得のためのシステム（１００）。
【請求項３】
上記ＡＣ基準値範囲は、呼吸に起因するバイオインピーダンスの変化に関連し、上記ＤＣ基準値範囲は、上記バイオインピーダンス信号測定モジュール（２０）のＤＣレベルの変化に関連する、
請求項１又は２記載のバイオインピーダンス信号取得のためのシステム（１００）。
【請求項４】
上記データ品質検出モジュール（３０）は、上記測定されたバイオインピーダンス信号（Ｓ２）のＡＣ及び／又はＤＣレベルが、上記基準値範囲の内部又は外部にある場合、上記信号適応モジュール（４０）に制御信号（ＣＳ）を送信するように構成される、
請求項１〜３のうちの１つに記載のバイオインピーダンス信号取得のためのシステム（１００）。
【請求項５】
上記制御信号（ＣＳ）は、上記電流信号注入モジュール（１０）及び／又は上記バイオインピーダンス信号測定モジュール（２０）の少なくとも１つのパラメータの変更を開始及び終了するときに、上記信号適応モジュール（４０）に通知する、
請求項４記載のバイオインピーダンス信号取得のためのシステム（１００）。
【請求項６】
上記データ品質検出モジュール（３０）は、パラメータの変更を開始するために上記制御信号（ＣＳ）を上記信号適応モジュール（４０）に送信する前に、被験者の呼吸イベントを検出するように構成される、
請求項４又は５記載のバイオインピーダンス信号取得のためのシステム（１００）。
【請求項７】
上記信号適応モジュール（４０）は、上記検出されたＡＣレベル及び上記ＡＣ基準値範囲の間の関係、及び／又は、上記検出されたＤＣレベル及び上記ＤＣ基準値範囲の間の関係に依存して、上記少なくとも１つのパラメータの値を増大又は減少させるように構成される、
請求項１〜６のうちのいずれか１に記載のバイオインピーダンス信号取得のためのシステム（１００）。
【請求項８】
上記データ品質検出モジュール（３０）は、上記測定されたバイオインピーダンス信号（Ｓ２）のＡＣレベル及びＤＣレベルを、連続的又は予め決められた時間間隔でモニタリングするように構成される、
請求項１〜７のうちの１つに記載のバイオインピーダンス信号取得のためのシステム（１００）。
【請求項９】
被験者の姿勢を検出するための姿勢検出モジュール（５０）をさらに備え、
上記データ品質検出モジュール（３０）は、上記姿勢検出モジュール（５０）によって姿勢変化が検出される場合、上記測定されたバイオインピーダンス信号（Ｓ２）のＡＣ及び／又はＤＣレベルをモニタリングするように構成される、
請求項１〜８のうちの１つに記載のバイオインピーダンス信号取得のためのシステム（１００）。
【請求項１０】
上記信号適応モジュール（４０）は、上記姿勢検出モジュール（５０）からの姿勢情報にさらに基づいて、上記電流信号注入モジュール（１０）及び／又は上記バイオインピーダンス信号測定モジュール（２０）の少なくとも１つのパラメータを変更するように構成される、
請求項９記載のバイオインピーダンス信号取得のためのシステム（１００）。
【請求項１１】
上記電流信号注入モジュール（１０）及び／又は上記バイオインピーダンス信号測定モジュール（２０）の少なくとも１つのパラメータのための適切な設定内容は、被験者について、当該被験者の異なる姿勢ごとに決定され、上記決定された設定内容は、上記姿勢検出モジュール（５０）によって姿勢変化が検出される場合、上記少なくとも１つのパラメータを初期設定として再利用するために格納される、
請求項９又は１０記載のバイオインピーダンス信号取得のためのシステム（１００）。
【請求項１２】
請求項１〜１１のうちの１つに記載のバイオインピーダンス信号取得のためのシステム（１００）を備える、バイオ信号取得のためのウェアラブル装置。
【請求項１３】
請求項１〜１１のうちの１つに記載の電子システムにおけるバイオインピーダンス信号取得のための方法であって、上記方法は、
電流信号（Ｓ１）を生成して当該信号を被験者に印加することと、
上記被験者に印加された電流信号（Ｓ１）によって生成された電圧に基づいてバイオインピーダンス信号（Ｓ２）を測定することと、
上記測定されたバイオインピーダンス信号（Ｓ２）のＡＣレベル及びＤＣレベルを検出し、上記測定されたバイオインピーダンス信号（Ｓ２）のＡＣレベル及びＤＣレベルがそれぞれＡＣ基準値範囲及びＤＣ基準値範囲の内部にあるか、それとも外部にあるかを検出することと、
上記測定されたバイオインピーダンス信号（Ｓ２）の上記検出されたＡＣレベル及びＤＣレベルがそれぞれＡＣ基準値範囲及びＤＣ基準値範囲の内部にあるか、それとも外部にあるかに基づいて、上記電流信号注入モジュール及び／又は上記バイオインピーダンス信号測定モジュールの少なくとも１つのパラメータを変更することとを含み、
上記少なくとも１つのパラメータを変更することは、上記生成された電流信号（Ｓ１）の周波数、上記測定されたバイオインピーダンス信号の利得、及び／又は、上記バイオインピーダンス信号を測定する電極ペアに含まれる電極を変更することを含む、
方法。
【請求項１４】
請求項１〜１１のうちの１つに記載のシステムにおいてプログラムが実行されるときに、請求項１３記載の方法に係るバイオインピーダンス信号取得に適合したコンピュータプログラムコード手段を備える、コンピュータプログラム製品又はコンピュータ可読記憶媒体。
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
前面が開口した遊技機筐体と、
ＭＡＸベットランプと、
２ベットランプと、
３ベットランプと、
遊技媒体数記憶手段と
を備え、
遊技機筐体の内部には、
複数のリールを含んだリールユニットと、
遊技媒体が貯蔵される主タンク部材と、
主タンク部材から溢れた遊技媒体を貯蔵するための補助タンク部材とが設けられており、
主タンク部材の一部には、主タンク部材から補助タンク部材へ向かって下るスロープ部が設けられており、
リールユニットは複数のネジ穴を有しており、
複数のネジ穴に挿通されている係止部品のうち所定の係止部品の鉛直下方にスロープ部が配置されており、
所定の係止部品は、導電性を有する係止部品であり、
補助タンク部材が遊技機筐体の内部に設置されている状態において、補助タンク部材内に貯蔵された遊技媒体が満杯か否かを検知するための第１部材と第２部材とを少なくとも有しており、第１部材と第２部材との間の距離は所定の係止部品の長手方向の長さよりも長くなるよう構成されており、
遊技媒体数記憶手段に「３」以上の所定の値が記憶されており、且つベット数として「３」が設定されていない遊技開始前の状況では、ＭＡＸベットランプが点灯可能であり、
ベット数として「２」が設定されている遊技開始前の状況では、２ベットランプが点灯可能であり、
ベット数として「３」が設定されている遊技開始前の状況では、３ベットランプが点灯可能であり、
ＭＡＸベットランプは点灯しており、３ベットランプは消灯しており、且つ２ベットランプは点灯している所定の状況において、ベット数として「１」が新たにベットされたときは、ＭＡＸベットランプが消灯した後に３ベットランプが点灯する
遊技機。
【手続補正２】
【補正対象書類名】明細書
【補正対象項目名】０００６
【補正方法】変更
【補正の内容】
【０００６】
本態様に係る遊技機は、
前面が開口した遊技機筐体と、
ＭＡＸベットランプと、
２ベットランプと、
３ベットランプと、
遊技媒体数記憶手段と
を備え、
遊技機筐体の内部には、
複数のリールを含んだリールユニットと、
遊技媒体が貯蔵される主タンク部材と、
主タンク部材から溢れた遊技媒体を貯蔵するための補助タンク部材とが設けられており、
主タンク部材の一部には、主タンク部材から補助タンク部材へ向かって下るスロープ部が設けられており、
リールユニットは複数のネジ穴を有しており、
複数のネジ穴に挿通されている係止部品のうち所定の係止部品の鉛直下方にスロープ部が配置されており、
所定の係止部品は、導電性を有する係止部品であり、
補助タンク部材が遊技機筐体の内部に設置されている状態において、補助タンク部材内に貯蔵された遊技媒体が満杯か否かを検知するための第１部材と第２部材とを少なくとも有しており、第１部材と第２部材との間の距離は所定の係止部品の長手方向の長さよりも長くなるよう構成されており、
遊技媒体数記憶手段に「３」以上の所定の値が記憶されており、且つベット数として「３」が設定されていない遊技開始前の状況では、ＭＡＸベットランプが点灯可能であり、
ベット数として「２」が設定されている遊技開始前の状況では、２ベットランプが点灯可能であり、
ベット数として「３」が設定されている遊技開始前の状況では、３ベットランプが点灯可能であり、
ＭＡＸベットランプは点灯しており、３ベットランプは消灯しており、且つ２ベットランプは点灯している所定の状況において、ベット数として「１」が新たにベットされたときは、ＭＡＸベットランプが消灯した後に３ベットランプが点灯する
遊技機である。
＜付記＞
尚、本態様とは異なる別態様について以下に列記しておくが、これらには何ら限定されることなく実施することが可能である。
本別態様に係る回胴式遊技機は、
２０個の図柄が配置された第１リールと、
２０個の図柄が配置された第２リールと、
２０個の図柄が配置された第３リールと、
当選結果を決定可能な役抽選手段と、
前記リールを制御するリール制御手段と
を有し、
前記リール制御手段は、前記役抽選手段により特定の結果が決定された遊技においては、遊技者の停止操作に基づいて特定図柄組合せを停止可能となるよう構成され、
前記特定図柄組み合わせが停止表示した場合には特別遊技が実行開始され得るよう構成されており、
前記特定図柄組み合わせを構成する前記第１リールに対応する図柄は、前記第１リールに３個配置されており、
前記特定図柄組み合わせを構成する前記第２リールに対応する図柄は、前記第２リールに４個配置されており、
前記特定図柄組み合わせを構成する前記第３リールに対応する図柄は、前記第３リールに４個配置されており、
すべての図柄組み合わせの数に対する前記特定図柄組み合わせの数の割合は、
（３×４×４）／（２０×２０×２０）＝３／５００
となっており、
前記役抽選手段により特定の結果が決定された遊技において、第１停止操作として前記第２リールが停止操作され、第２停止操作として前記第３リールが停止操作され、前記第２リール及び前記第３リールには前記特定図柄組合せに対応する図柄がそれぞれ停止され、その後の第３停止操作として特定のタイミングで前記第１リールが停止操作されて前記特定図柄組合せが表示されなかった場合には、特別遊技が実行開始されないように構成されており、
前記役抽選手段により特定の結果が決定された遊技において、第１停止操作として前記第１リールが停止操作され、当該第１リールへの所定の回転不良により前記特定図柄組合せに対応する図柄が停止されず、第２停止操作として前記第２リールが停止操作され、第３停止操作として前記第３リールが停止操作され、前記第２リール及び前記第３リールに前記特定図柄組合せに対応する図柄がそれぞれ停止された場合には、前記特定図柄組合せが表示されなくとも、特別遊技が実行開始され得るよう構成されている
ことを特徴とする。
【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
ＯＣＴ測定光を用いて被検眼の断層情報を取得するＯＣＴ光学系と、
ＳＬＯ測定光を用いて前記被検眼の眼底情報を取得するＳＬＯ光学系と、
前記ＯＣＴ測定光の収差を測定する収差測定手段と、
前記ＯＣＴ光学系及び前記ＳＬＯ光学系が、前記ＯＣＴ測定光及び前記ＳＬＯ測定光の光路の少なくとも一部を共有する共通光路と、
前記共通光路に設けられた前記収差を補正する収差補正手段及び第１のフォーカス手段と、
前記共通光路から分岐した前記ＳＬＯ測定光の光路及び前記ＯＣＴ測定光の光路の少なくとも一方に設けられた第２のフォーカス手段と、
前記収差測定手段により測定された前記収差に基づいて、前記収差補正手段を制御する制御手段と、
を備える、眼底撮像装置。
【請求項２】
前記第２のフォーカス手段によるフォーカス調整範囲は、前記第１のフォーカス手段によるフォーカス調整範囲より狭い、請求項１に記載の眼底撮像装置。
【請求項３】
前記第２のフォーカス手段は前記共通光路から分岐した前記ＳＬＯ測定光の光路に設けられる、請求項１又は２に記載の眼底撮像装置。
【請求項４】
前記制御手段は、前記第１のフォーカス手段及び前記第２のフォーカス手段を制御する、請求項１乃至３のいずれか一項に記載の眼底撮像装置。
【請求項５】
前記第１のフォーカス手段は、前記収差測定手段及び前記収差補正手段と前記被検眼との間の光路に設けられた反射光学系で構成されたバダル光学系である、請求項１乃至４のいずれか一項に記載の眼底撮像装置。
【請求項６】
前記制御手段は、前記第２のフォーカス手段を前記第１のフォーカス手段に連動して制御する、請求項１乃至５のいずれか一項に記載の眼底撮像装置。
【請求項７】
前記ＯＣＴ光学系における前記ＯＣＴ測定光の光路及び前記ＯＣＴ測定光に対応する参照光の光路の一方に設けられた光路長調整手段を更に備え、
前記制御手段は、前記光路長調整手段を前記第１のフォーカス手段に連動して制御する、請求項４乃至６のいずれか一項に記載の眼底撮像装置。
【請求項８】
前記ＯＣＴ測定光を前記被検眼の眼底上で二次元方向に走査する走査手段を更に備え、
前記制御手段は、
前記被検眼の前記眼底情報に基づいて眼底の動きを検出し、
検出した前記眼底の動きに基づいて前記走査手段を制御する、請求項１乃至７のいずれか一項に記載の眼底撮像装置。
【請求項９】
前記制御手段は、前記ＳＬＯ光学系により取得された第１の眼底情報に基づく平面画像の部分画像である参照画像と、前記第１の眼底情報の後に前記ＳＬＯ光学系により取得された第２の眼底情報に基づく平面画像の部分画像である対象画像との位置ずれを検出することにより前記眼底の動きを検出し、
前記参照画像及び対象画像の一方の画像サイズは他方の画像サイズより大きい、請求項８に記載の眼底撮像装置。
【請求項１０】
前記ＯＣＴ測定光と前記ＳＬＯ測定光を第１の走査方向に走査する第１の走査手段と、
前記ＯＣＴ測定光を第１の走査方向に垂直な第２の走査方向に走査する第２の走査手段と、
前記ＳＬＯ測定光を前記第２の走査方向に走査する第３の走査手段と、
を更に備え、
前記制御手段は、前記第２の走査手段による一回の走査を行う間に前記第１の走査手段により前記ＯＣＴ測定光及び前記ＳＬＯ測定光を繰り返し走査させるとともに、前記第１の走査手段による一回の走査を行う間に前記第３の走査手段により前記ＳＬＯ測定光を繰り返し走査させる、請求項１乃至７のいずれか一項に記載の眼底撮像装置。
【請求項１１】
前記共通光路は、
前記ＯＣＴ測定光及び前記ＳＬＯ測定光を分離する第１のダイクロイックミラーと、
前記第１のダイクロイックミラーによって分離された前記ＯＣＴ測定光及び前記ＳＬＯ測定光を結合する第２のダイクロイックミラーと、
を含み、
前記分離されたＯＣＴ測定光の光路に前記第２の走査手段が配置され、
前記分離されたＳＬＯ測定光の光路に前記第３の走査手段が配置された、請求項１０に記載の眼底撮像装置。
【請求項１２】
前記被検眼と前記第１のフォーカス手段との間に前記第１の走査手段、前記第２の走査手段及び前記第３の走査手段の少なくとも一つが配置された、請求項１０又は１１に記載の眼底撮像装置。
【請求項１３】
前記制御手段は、
前記第１のフォーカス手段により前記ＯＣＴ測定光及び前記ＳＬＯ測定光のフォーカス状態を調整した後に、前記第２のフォーカス手段により前記ＯＣＴ測定光及び前記ＳＬＯ測定光の少なくとも一方のフォーカス状態を更に調整する、請求項１乃至１２のいずれか一項に記載の眼底撮像装置。
【請求項１４】
前記第２のフォーカス手段と前記第１のフォーカス手段を連動させる連動機構を更に備え、
前記連動機構は前記第２のフォーカス手段と前記第１のフォーカス手段の連動を解除可能である、請求項１乃至５のいずれか一項に記載の眼底撮像装置。
【請求項１５】
前記ＯＣＴ光学系における前記ＯＣＴ測定光の光路及び前記ＯＣＴ測定光に対応する参照光の光路の一方に設けられた光路長調整手段と、
前記光路長調整手段と前記第１のフォーカス手段を連動させる連動機構と、
を更に備え、
前記連動機構は前記光路長調整手段と前記第１のフォーカス手段の連動を解除可能である、請求項１乃至６のいずれか一項に記載の眼底撮像装置。
【手続補正書】
【提出日】令和2年12月3日(2020.12.3)
【手続補正１】
【補正対象書類名】特許請求の範囲
【補正対象項目名】全文
【補正方法】変更
【補正の内容】
【特許請求の範囲】
【請求項１】
シートに処理を行うシート処理装置であって、
移動自在な可動ユニットと、
前記可動ユニットを所定位置でロックするロック手段と、
回転できる軸と、
前記軸に固定部材によって固定されるハンドルと、を備え、
前記ハンドルを操作して軸線を中心として前記軸を回転させることで前記ロック手段によるロックを解除でき、
前記ハンドルは、前記ハンドルにかかる操作力を前記軸に接して受け止める第一の面と、前記固定部材が配置される第二の面とを備え、
前記固定部材によって前記第二の面と前記軸とが圧接された状態で前記軸に前記ハンドルは固定され、
前記第一の面と前記第二の面とは前記軸の回転方向において異なる位置に配置されていることを特徴とするシート処理装置。
【請求項２】
前記ハンドルは、前記軸を挟んで前記第一の面と対向する第三の面を含んだ弾性部を備え、弾性変形した前記弾性部の復元力により前記軸と前記第一の面とが密着されることを特徴とする請求項１に記載のシート処理装置。
【請求項３】
前記固定部材は、ビスであることを特徴とする請求項１または２に記載のシート処理装置。
【請求項４】
前記軸線に交差する方向に沿って延びていて前記ビスの軸部が挿入されるビス穴を、前記軸は備え、
前記ビスの軸部が挿入される穴が前記ハンドルの前記第二の面に形成され、
前記ビスによって、前記第二の面と前記軸の外周部とが圧接され、
前記第一の面は、前記ビスの軸部が延びる方向に沿って延びていて、
前記第一の面は、前記軸の外周部に接することを特徴とする請求項３に記載のシート処理装置。
【請求項５】
前記軸の外周部における、前記第一の面が接する部分は、前記軸の外周部における、前記第二の面が接する部分よりも、前記ハンドルが操作力を受けて前記軸が回転する方向における下流側であることを特徴とする請求項４に記載のシート処理装置。
【請求項６】
前記ロック手段は、磁力を使って前記可動ユニットを前記所定位置でロックすることを特徴とする請求項１乃至５のいずれか１項に記載のシート処理装置。
【請求項７】
回転自在に取り付けられた軸と、前記軸を回転させるために前記軸に取り付けられたハンドルと、を備え、シートに処理を行うシート処理装置であって、
前記ハンドルに設けられ、第１穴が設けられた第１部分と、
前記第１部分に設けられた前記第１穴および前記軸に設けられた第２穴に軸部が挿入され、前記軸の外周における圧接箇所と前記ハンドルの前記第１部分とを圧接させて前記軸に前記ハンドルを固定する固定部材と、
前記軸における圧接箇所とは周方向において異なる位置で前記軸の外周と接する、前記ハンドルに設けられた第２部分と、有することを特徴とするシート処理装置。
【請求項８】
前記可動ユニットは、シートを搬送する搬送装置であって、装置本体に対して開閉自在であり、前記搬送装置が搬送するシートの画像を読み取る処理を行うことを特徴とする請求項１乃至６のいずれか１項に記載のシート処理装置。
【手続補正２】
【補正対象書類名】明細書
【補正対象項目名】０００７
【補正方法】変更
【補正の内容】
【０００７】
本発明のシート処理装置は、移動自在な可動ユニットと、前記可動ユニットを所定位置でロックするロック手段と、軸に固定部材によって取り付けられるハンドルと、を備え、前記ハンドルを操作して軸線を中心として前記軸を回転させることで前記ロック手段によるロックを解除でき、前記操作ハンドルは、前記操ハンドルにかかる操作力を前記軸と接して受け止める第一の面と、前記固定部材が配置される第二の面とを備え、前記固定部材によって前記第二の面と前記軸とが圧接された状態で前記軸に前記ハンドルは固定され、前記第一の面と前記第二の面とは前記軸の回転方向において異なる位置に配置されていることを特徴とする。
【手続補正書】
【提出日】令和2年12月2日(2020.12.2)
【手続補正１】
【補正対象書類名】明細書
【補正対象項目名】００２３
【補正方法】変更
【補正の内容】
【００２３】
また、撮像素子１０６の動作は制御部１０９がタイミング制御回路２１４を通じて制御する。例えば、画像信号を読み出し、Ａ／Ｄ変換を行い、画像データをフレームメモリ２１８に記憶する一連の処理のデータレートの変更は、制御部１０９がタイミング制御回路２１４の動作を変更することによって実現することができる。本実施形態において制御部１０９は、画像データをフレームメモリ２１８に一時記憶する場合は、一時記憶させない場合よりも画像信号の読み出しおよびフレームメモリ２１８への一時記憶までの処理を速く実行するよう、タイミング制御回路２１４を制御する。
Ｐ／Ｓ変換部２１９は画像データをシリアルデータに変換して信号処理回路１０７に出力する。
【手続補正２】
【補正対象書類名】明細書
【補正対象項目名】００２６
【補正方法】変更
【補正の内容】
【００２６】
転送トランジスタ３０２は、ＰＤ３０１のカソードとＦＤ部３０６との間に接続され、ゲートに転送信号線２０３を介して転送パルスφＴＲＧが与えられることによってオンとなり、ＰＤ３０１で発生した信号電荷をＦＤ部３０６に転送する。
【手続補正３】
【補正対象書類名】明細書
【補正対象項目名】００３３
【補正方法】変更
【補正の内容】
【００３３】
比較器３１１は例えば、画像信号のレベルがランプ信号のレベルより低い場合にはハイレベルの信号を出力し、画像信号のレベルがランプ信号のレベルより高い場合にはローレベルの信号を出力する。
アップダウンカウンタ３１２は、比較器３１１に接続され、比較を開始してから比較器３１１の出力が変化するまでの期間の長さをカウントし、そのカウント値（デジタル値）をメモリ３１３に出力する。メモリ３１３に出力されるカウント値は、垂直出力線２０２から入力される画像信号に対応するデジタル値である。
【手続補正４】
【補正対象書類名】明細書
【補正対象項目名】００４３
【補正方法】変更
【補正の内容】
【００４３】
ユーザにより、操作部１１５に含まれる電源ボタンがＯＮされると実行されるものとする。Ｓ６０２で制御部１０９は各種の初期設定処理を実行する。初期設定処理が終了すると制御部１０９は、静止画撮影のスタンバイ状態の動作を実行する。静止画撮影のスタンバイ状態において制御部１０９は、表示部１１１をＥＶＦとして機能させ、操作部１１５の操作を監視する。具体的には、制御部１０９は動画撮影を連続的に実行し、ライブビュー画像を生成して表示部１１１に順次表示するよう、各部を制御する。
【手続補正書】
【提出日】令和2年12月2日(2020.12.2)
【手続補正１】
【補正対象書類名】明細書
【補正対象項目名】００１０
【補正方法】変更
【補正の内容】
【００１０】
本発明の請求項１に係る画像処理装置は、撮影により生成された第１の画像を取得する取得手段と、前記第１の画像に含まれる前記撮影の際の各被写体の距離の分布に応じて前記第１の画像を２つ以上の領域に分割する分割手段と、前記分割された領域の１つを、高輝度な画素が存在する高輝度領域として検出する検出手段と、前記高輝度領域において、前記高輝度な画素及びその周辺画素に対し、異なる補正強度で前記第１の画像の補正を行い、複数の第２の画像を生成する第１の生成手段と、前記生成された複数の第２の画像を用いて動画を生成する第２の生成手段とを備えることを特徴とする。
【手続補正２】
【補正対象書類名】特許請求の範囲
【補正対象項目名】全文
【補正方法】変更
【補正の内容】
【特許請求の範囲】
【請求項１】
撮影により生成された第１の画像を取得する取得手段と、
前記第１の画像に含まれる前記撮影の際の各被写体の距離の分布に応じて前記第１の画像を２つ以上の領域に分割する分割手段と、
前記分割された領域の１つを、高輝度な画素が存在する高輝度領域として検出する検出手段と、
前記高輝度領域において、前記高輝度な画素及びその周辺画素に対して異なる補正強度で前記第１の画像の補正を行い、複数の第２の画像を生成する第１の生成手段と、
前記生成された複数の第２の画像を用いて動画を生成する第２の生成手段とを備えることを特徴とする画像処理装置。
【請求項２】
前記第１の生成手段は、前記補正として、前記第１の画像のコントラスト、輝度、色、彩度のうちの少なくとも１つを補正することを特徴とする請求項１記載の画像処理装置。
【請求項３】
前記検出手段は、前記分割された領域の１つの総画素数に対し、前記高輝度な画素の数の割合が所定割合以上である領域を前記高輝度領域として検出することを特徴とする請求項１又は２記載の画像処理装置。
【請求項４】
前記第１の生成手段は、前記高輝度な画素から距離が遠くなるほど前記補正強度を弱くすることを特徴とする請求項１乃至３のいずれか１項に記載の画像処理装置。
【請求項５】
前記第１の生成手段は、前記補正強度を前記高輝度な画素からの距離に応じて単調変化させることを特徴とする請求項４記載の画像処理装置。
【請求項６】
前記単調変化の傾きの値を、前記複数の第２の画像間で異なる値に制御することを特徴とする請求項５記載の画像処理装置。
【請求項７】
前記第１の画像における撮影シーンを判別する判別手段をさらに備え、
前記判別された撮影シーンに応じて、前記補正として、前記第１の画像のコントラスト、輝度、色、彩度のうちのいずれの補正を行うかについての設定、及び前記複数の第２の画像のそれぞれに対する補正強度の設定を行うことを特徴とする請求項１記載の画像処理装置。
【請求項８】
前記撮影シーンは、明るさあるいは色味の情報のうちの少なくとも一つに基づいて判別されることを特徴とする請求項７記載の画像処理装置。
【請求項９】
前記取得手段は、前記第１の画像として、視点の異なる少なくとも２つ以上の多視点画像群を取得し、前記第２の生成手段は、前記第１の生成手段により前記補正が行われた前記多視点画像群を選択あるいは合成し、前記動画を生成することを特徴とする請求項１乃至８のいずれか１項に記載の画像処理装置。
【請求項１０】
前記高輝度な画素は、所定の輝度値以上を有する画素であることを特徴とする請求項１乃至９のいずれか１項に記載の画像処理装置。
【請求項１１】
前記第１の画像を前記検出された領域が視認できる状態で表示すると共に、前記検出された領域に対して前記第１の生成手段による補正を行う旨を通知することを特徴とする請求項１乃至１０のいずれか１項に記載の画像処理装置。
【請求項１２】
請求項１乃至１１のいずれか１項に記載の画像処理装置と、前記第１の画像を生成する撮像手段と、を備えることを特徴とする撮像装置。
【請求項１３】
画像処理装置が実行する画像処理方法であって、
撮影により生成された第１の画像を取得する取得工程と、
前記第１の画像に含まれる前記撮影の際の各被写体の距離の分布に応じて前記第１の画像を２つ以上の領域に分割する分割工程と、
前記分割された領域の１つを、高輝度な画素が存在する高輝度領域として検出する検出工程と、
前記高輝度領域において、前記高輝度な画素及びその周辺に対して異なる補正強度で前記第１の画像の補正を行い、複数の第２の画像を生成する第１の生成工程と、
前記生成された複数の第２の画像を用いて動画を生成する第２の生成工程とを有することを特徴とする画像処理方法。
【請求項１４】
コンピュータを、請求項１乃至１１のいずれか１項に記載の前記画像処理装置の各手段として機能させるためのプログラム。
【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
前面側に遊技媒体が流通する遊技領域が設けられる遊技パネルを備えた遊技機であって、
前記遊技パネルの開口部には、センター役物が設けられ、
該センター役物は、
前記開口部の下部に位置するステージ部と、
前記遊技パネルよりも前方へ延出しており、前記開口部の内側への遊技媒体の侵入を阻止している周壁部と、
該周壁部から前記遊技パネルに沿って延出したフランジ部と、を備え、
前記フランジ部は、前記遊技パネルに取付けられる取付部を有し、
前記ステージ部とは異なる部位に設けられた前記フランジ部の少なくとも一部は、前記開口部よりも内側に延長した延出領域部を有し、該延出領域部は、遊技球の投影面積よりも大きい領域を備え、且つ、裏面側に前記遊技パネルが位置しない部位であり、前記延出領域部を透して後方の装飾部を視認可能であり、
前記延出領域部は前記周壁部に略沿って設けられる
ことを特徴とした遊技機。
【手続補正２】
【補正対象書類名】明細書
【補正対象項目名】０００２
【補正方法】変更
【補正の内容】
【０００２】
パチンコ機等の遊技機として、前後に貫通している開口部を有する平板状のパネルと、開口部に沿った枠状でパネルの前面に取付けられるセンター役物と、を備え、センター役物に、遊技機のコンセプトに沿った立体的な装飾体が設けられているものが知られている（例えば、特許文献１）。この種の遊技機では、センター役物に設けられている立体的な装飾体により、パネルの後方設けられている装飾体、可動装飾体、演出表示装置、のような演出手段の周囲を装飾して、遊技機の見栄えを良くしている。
【手続補正３】
【補正対象書類名】明細書
【補正対象項目名】０００３
【補正方法】変更
【補正の内容】
【０００３】
しかしながら、特許文献１のような従来の遊技機では、センター役物に設けられている立体的な装飾体により、センター役物の枠内が狭められてしまい、後方に設けられている演出手段の見える範囲が狭くなることで、演出手段による演出効果を十分に発揮させられない問題があった。
【手続補正４】
【補正対象書類名】明細書
【補正対象項目名】０００４
【補正方法】変更
【補正の内容】
【０００４】
【特許文献１】特開２００８−２９５５４９号公報
【手続補正５】
【補正対象書類名】明細書
【補正対象項目名】０００５
【補正方法】変更
【補正の内容】
【０００５】
そこで、本発明は、上記の実情に鑑み、センター役物の後方の視認性を良くすることが可能な遊技機の提供を課題とするものである。
【手続補正６】
【補正対象書類名】明細書
【補正対象項目名】０００６
【補正方法】変更
【補正の内容】
【０００６】
手段：遊技機において、
「前面側に遊技媒体が流通する遊技領域が設けられる遊技パネルを備えた遊技機であって、
前記遊技パネルの開口部には、センター役物が設けられ、
該センター役物は、
前記開口部の下部に位置するステージ部と、
前記遊技パネルよりも前方へ延出しており、前記開口部の内側への遊技媒体の侵入を阻止している周壁部と、
該周壁部から前記遊技パネルに沿って延出したフランジ部と、を備え、
前記フランジ部は、前記遊技パネルに取付けられる取付部を有し、
前記ステージ部とは異なる部位に設けられた前記フランジ部の少なくとも一部は、前記開口部よりも内側に延長した延出領域部を有し、該延出領域部は、遊技球の投影面積よりも大きい領域を備え、且つ、裏面側に前記遊技パネルが位置しない部位であり、前記延出領域部を透して後方の装飾部を視認可能であり、
前記延出領域部は前記周壁部に略沿って設けられる」ものであることを特徴とする。
なお、本発明とは異なる別の発明として以下の発明を開示する。
手段１：遊技機において、
「正面視において、中央側に対して外周側が前方へ突出している特別絵柄を表示可能な表示ユニットを、
具備している」ものであることを特徴とする。
【手続補正７】
【補正対象書類名】明細書
【補正対象項目名】００６８
【補正方法】変更
【補正の内容】
【００６８】
このように、本発明によれば、センター役物の後方の視認性を良くすることが可能な遊技機を提供することができる。